(57)【特許請求の範囲】
【請求項１】
カラーサブピクセル輝度データを含む入力ビデオイメージを表し、複数の奇数ラインデータおよび複数の偶数ラインデータを含むクワッドサブピクセル・デジタルデータストリームを受信し、中間ピクセルメモリを含み、カラーサブピクセル輝度データを含むひずんだビデオイメージを表す出力中間デジタルデータストリームを生じるプロセッサと、
前記出力中間デジタルデータストリームのひずみをなくし、出力中間デジタルデータストリームをストリップサブピクセル・カラーディスプレイに適用するためのサイズ変更エンジンと、を備え
前記出力中間デジタルデータストリームは、パディングデータ値を含む複数の奇数ラインデータとパディングデータ値を含む複数の偶数ラインデータとを含む、
クワッドサブピクセル・デジタルデータストリームからストリップサブピクセル・カラーディスプレイを駆動するための装置。
【請求項２】
前記パディングデータ値はゼロ値を持つことを特徴とする、請求項１に記載の装置。
【請求項３】
カラーサブピクセル輝度データを含む入力ビデオイメージを表し、複数の奇数ラインデータおよび複数の偶数ラインデータを含むクワッドサブピクセル・デジタルデータストリームを受信し、中間ピクセルメモリを含むプロセッサと、
出力中間デジタルデータストリームのひずみをなくし、出力中間デジタルデータストリームをストリップサブピクセル・カラーディスプレイに適用するためのサイズ変更エンジンと、
を備え、
前記クワッドサブピクセル・デジタルデータストリームは、
複数の奇数ラインデータと、
前記複数の奇数ラインデータと交互にある複数の偶数ラインデータと、
を含み
前記中間ピクセルメモリは、
第１の奇数ラインメモリ位置、第２の奇数ラインメモリ位置そして第３の奇数ラインメモリ位置を含む繰返しシーケンシャル順序に配列された複数の奇数ラインメモリ位置と、
第１の偶数ラインメモリ位置、第２の偶数ラインメモリ位置、第３の偶数ラインメモリ位置を含む繰返しシーケンシャル順序に配列された複数の偶数ラインメモリ位置と、
を含み、
前記プロセッサは、カラーサブピクセル輝度データを含むひずんだビデオイメージを表す出力中間デジタルデータストリームを生じ、
前記出力中間デジタルデータストリームは、
複数のパディングデータ値を含み、前記奇数ラインメモリ位置から生じる複数の奇数ラインデータと、
複数のパディングデータ値を含み、前記偶数ラインメモリ位置から生じ、前記出力中間デジタルデータストリーム内の前記奇数ラインデータと交代する複数の偶数ラインデータと、を含む、
カラーディスプレイ用のサブピクセルを再マッピングするための装置。
【請求項４】
前記パディングデータ値はゼロ値を持つことを特徴とする、請求項３に記載の装置。
【請求項５】
前記ストリップサブピクセル・カラーディスプレイは前記入力ビデオイメージより高い解像度を持つことを特徴とする、請求項３に記載の装置。
【請求項６】
前記入力ビデオイメージの解像度に対する前記ストリップサブピクセル・カラーディスプレイの解像度の比率が７６８：５１２であることを特徴とする、請求項５に記載の装置。
【請求項７】
クワッドサブピクセル・デジタルデータストリームをストリップサブピクセル・カラーディスプレイに適用するための方法であって、前記クワッドサブピクセル・デジタルデータストリームは第１のグリーンサブピクセルが続くレッドサブピクセルをさらに含む複数の奇数ラインの繰返しデータシーケンスと、ブルーサブピクセルが続く第２のグリーンサブピクセルをさらに含む複数の偶数ラインの繰返しデータシーケンスとを含むことを特徴とし、前記方法は、
前記奇数ラインの繰返しデータシーケンスの前記レッドサブピクセルの各々を、繰返しシーケンスの３つの奇数ラインメモリ位置に含まれる第１の奇数ラインメモリ位置にマッピングするステップと、
前記奇数ラインの繰返しデータシーケンスの前記第１のグリーンサブピクセルの各々を、前記繰り返しシーケンスの３つの奇数ラインメモリ位置に含まれる第２の奇数ラインメモリ位置にマッピングするステップと、
ゼロ輝度を表すデジタル値を前記繰返しシーケンスの３つの奇数ラインメモリ位置に含まれる第３の奇数ラインメモリ位置にロードするステップと、
ゼロ輝度を表すデジタル値を繰返しシーケンスの３つの偶数ラインメモリ位置に含まれる第１の偶数ラインメモリ位置にロードするステップと、
前記偶数ラインの繰返しデータシーケンスの前記第２のグリーンサブピクセルの各々を、前記繰返しシーケンスの３つの偶数ラインメモリ位置に含まれる第２の偶数ラインメモリ位置にマッピングするステップと、
前記偶数ラインの繰り返しデータシーケンスの前記ブルーサブピクセルの各々を、前記繰返しシーケンスの３つの偶数ラインメモリ位置に含まれる第３の偶数ラインメモリ位置にマッピングするステップと、
前記繰返しシーケンスの３つの奇数ラインメモリ位置と前記繰返しシーケンスの３つの偶数ラインメモリ位置の内容をサイズ変更エンジンへの中間デジタルデータストリームとして出力するステップと、
アスペクト比を調整することにより前記中間デジタルデータストリームにより表されるビデオイメージのひずみをなくすステップと、
前記サイズ変更エンジンからの出力によりストリップサブピクセル・カラーディスプレイを駆動するステップと、
を含む方法。
【請求項８】
前記繰返しシーケンスの３つの奇数ラインメモリ位置と前記繰返しシーケンスの３つの偶数ラインメモリ位置は中間ピクセルメモリに含まれることを特徴とする、請求項７に記載の方法。
【請求項９】
前記中間デジタルデータストリームにより表される前記ビデオイメージは、前記ビデオイメージの水平方向の寸法を６６％にスケールすることによりひずみをなくされることを特徴とする、請求項８に記載の方法。
【請求項１０】
前記中間デジタルデータストリームにより表される前記ビデオイメージを、水平方向のスケール因子および垂直方向のスケール因子の寸法によってスケールするステップと、
をさらに含むことを特徴とする、請求項７に記載の方法。
【請求項１１】
前記水平方向のスケール因子が７６８：５１２であり、前記垂直方向のスケール因子が７６８：５１２であることを特徴とする、請求項１０に記載の方法。
【請求項１２】
クワッドサブピクセル・デジタルデータストリームをストリップサブピクセル・カラーディスプレイに適用するための方法であって、前記クワッドサブピクセル・デジタルデータストリームは第１のグリーンサブピクセルが続くレッドサブピクセルを含む複数の奇数ラインの繰返しデータシーケンスと、ブルーサブピクセルが続く第２のグリーンサブピクセルを含む複数の偶数ラインの繰返しデータシーケンスとを含むことを特徴とし、前記方法は、
前記奇数ラインの繰返しデータシーケンスの前記レッドサブピクセルの各々を、繰返しシーケンスの３つの奇数ラインメモリ位置に含まれる第１の奇数ラインメモリ位置にマッピングするステップと、
前記奇数ラインの繰返しデータシーケンスの前記第１のグリーンサブピクセルの各々を、前記繰返しシーケンスの３つの奇数ラインメモリ位置に含まれる第２の奇数ラインメモリ位置にマッピングするステップと、
平均ブルー輝度を表すデジタル値を繰返しシーケンスの３つの奇数ラインメモリ位置に含まれる第３の奇数ラインメモリ位置にロードするステップであって、前記平均ブルー輝度は前記偶数ラインの繰返しデータシーケンスのブルーサブピクセルと前の偶数ラインの繰返しデータシーケンスのブルーサブピクセルから計算される、ステップと、
平均レッド輝度を表すデジタル値を繰返しシーケンスの３つの偶数ラインメモリ位置に含まれる第１の偶数ラインメモリ位置にロードするステップであって、前記平均レッド輝度は前記奇数ラインの繰返しデータシーケンスのレッドサブピクセルと後続の奇数ラインの繰返しデータシーケンスのレッドサブピクセルから計算される、ステップと、
前記偶数ラインの繰返しデータシーケンスの前記第２のグリーンサブピクセルの各々を前記繰返しシーケンスの３つの偶数ラインメモリ位置に含まれる第２の偶数ラインメモリ位置にマッピングするステップと、
前記偶数ラインの繰返しデータシーケンスの前記ブルーサブピクセルの各々を前記繰返しシーケンスの３つの偶数ラインメモリ位置に含まれる第３の偶数ラインメモリ位置にマッピングするステップと、
前記繰返しシーケンスの３つの奇数ラインメモリ位置、前記繰返しシーケンスの３つの偶数ラインメモリ位置の内容をサイズ変更エンジンへの中間デジタルデータストリームとして出力するステップと、
アスペクト比を調整することにより前記中間デジタルデータストリームにより表されるビデオイメージのひずみをなくすステップと、
前記サイズ変更エンジンからの出力によりストリップサブピクセル・カラーディスプレイを駆動するステップと、
を含む方法。
【請求項１３】
前記繰返しシーケンスの３つの奇数ラインメモリ位置と前記繰返しシーケンスの３つの偶数ラインメモリ位置は中間ピクセルメモリに含まれることを特徴とする、請求項１２に記載の方法。
【請求項１４】
前記中間デジタルデータストリームにより表される前記ビデオイメージは、前記ビデオイメージの水平方向の寸法を６６％にスケールすることによりひずみをなくされることを特徴とする、請求項１２に記載の方法。
【請求項１５】
前記中間デジタルデータストリームにより表される前記ビデオイメージを水平方向のスケール因子および垂直方向のスケール因子の寸法によりスケールするステップをさらに含むことを特徴とする、請求項１２に記載の方法。
【請求項１６】
前記水平方向のスケール因子が７６８：５１２であり、前記垂直方向のスケール因子は７６８：５１２であることを特徴とする、請求項１５に記載の方法。
【請求項１７】
クワッドサブピクセル・データストリームからストリップサブピクセル・カラーディスプレイを駆動する方法であって、
クワッドサブピクセル・データストリームから、カラーサブピクセル輝度データおよびパディングデータ値を含むひずんだ中間デジタルデータストリームを生成するステップと、
サイズ変更エンジンにより前記中間デジタルデータストリームのひずみをなくし、出力デジタルデータストリームを生成するステップと、
前記出力デジタルデータストリームをストリップサブピクセル・カラーディスプレイへ適用するステップと、
を含む、方法。
【請求項１８】
前記パディングデータ値はゼロ値を持つことを特徴とする、請求項１７に記載の方法。
【発明の詳細な説明】
【０００１】
【発明の属する技術分野】
本発明はカラーディスプレイの分野に関し、より詳細には、シリアルデータストリーム内に含まれるサブピクセルを操作してディスプレイ・イメージを形成する方法及び装置に関する。
【０００２】
【従来の技術】
航空機において、パイロットはカラーディスプレイを含む計器から重要な情報を取得する。あるカラーディスプレイはクワッド・サブピクセル構成を使用する一方で、他のディスプレイはストリップ・サブピクセル構成を使用する。
【０００３】
図１にはクワッド・サブピクセル・ディスプレイ１００が描かれており、該クワッド・サブピクセル・ディスプレイ１００はピクセル１１０を含み、各ピクセルはレッドサブピクセル１１１、第１のグリーンサブピクセル１１２、ブルーサブピクセル１１３および第２のグリーンサブピクセル１１４を含んでいる。このタイプのディスプレイは、夜景イメージの表示中のようなモノクローム動作のためのディスプレイ解像度を二倍にすることが所望される軍事応用に特に開発されてきた。
【０００４】
図２は、ピクセル２１０を含むストリップ・サブピクセル・ディスプレイ２００を示しており、各ピクセルはレッドサブピクセル２１１、グリーンサブピクセル２１２、ブルーサブピクセル２１３から構成されている。ストリップ・サブピクセル・ディスプレイはＳｏｎｙのトリニトロン（登録商標）のカラーテレビにとても似ており、商業的な使用のために広く開発されてきた。
【０００５】
冷戦後の時代において、特に現代において、商業的なディスプレイ技術は軍事的なディスプレイ技術に勝っている。例えば、商業的に利用出来る典型的なラップトップ型コンピュータは、利用されている多くの最新型軍事用ディスプレイに比べて、より高いピクセル数を有することに付随してより大きな解像度を有する。
【０００６】
【発明が解決しようとする課題】
非常に多くの航空機用グラフィクスシンボロジー（図形記号）、より詳細には軍事用グラフィクスシンボロジーが開発され、航空機ディスプレイ上で使用が継続されている。ある特定の軍事用のユニークなディスプレイは、クワッドサブピクセル構成を含んでいる。特定の航空機上のこのクワッド・サブピクセル・ディスプレイをさらに新しいストリップサブピクセル・ディスプレイと置換えることが所望される。しかし、このグラフィックシンボロジーの基礎をなすソフトウエアを変化することは、常に長期でコスト高な開発プロセスを必要とする。
【０００７】
結果として生じるディスプレイメージに重要な時間遅延を導入することなくクワッドサブピクセル・ディスプレイに向けられたデジタルデータストリームを捕らえ、それをストリップサブピクセル・カラーディスプレイに適したデジタルデータストリームへ再フォーマット出来る、ハードウエア装置および方法が当該技術分野で必要とされている。そのような装置および方法は、既存の航空機ディスプレイプロセッサにおいてソフトウエアの修正を施すことなく、以前に開発された軍事シンボロジーを再利用することを可能とするであろう。
【０００８】
【課題を解決するための手段】
クワッドサブピクセル・ディスプレイに向けられたデジタルデータストリーム、例えばシリアルデジタルストリームを、エキストラデータ値をシリアルデジタルストリームにリアルタイムでパディングすることにより処理することが可能であることが発見された。結果として生じる、パッドデータを含む中間デジタルストリームは、ディスプレイされた場合、ひずんだ画像を示すであろう。しかし、ひずみは商用的に入手可能なサイズ変更エンジンを使用することにより除去し得ることがさらに発見された。
【０００９】
本発明は、クワッドサブピクセル・カラーイメージを表す、デジタルデータストリームにおける各サブピクセルに対する、カラーおよび輝度情報を抽出し、この情報を処理し、中間ピクセルメモリ内へ転送する。中間ピクセルメモリをパッドするために入力値の間に更なるデータ値が散在され、例えば奇数入力ラインは「ブルー」サブピクセルデータを含んでいない。処理後、中間ピクセルメモリはジェネシス（登録商標）チップなどのディスプレイサイズ変更エンジンへの入力として使用され得るデータを含んでおり、ストリップサブピクセル・ディスプレイを駆動するのに適したデジタルデータストリーム出力を順番に提供する。有利には、本発明は、クワッドサブピクセル（ｍ×ｎ）・ディスプレイに対するストリップサブピクセル（ｘ×ｙ）・ディスプレイにおける潜在的に異なるピクセル量を計算するために中間ピクセルメモリから別のビットマップにサイズ変更することが出来る。
【００１０】
本発明の、一つの特定の例示的な実施形態においては、データストリームにパッドされたエキストラデータ値はゼロの値を持っている。第２の例示的な実施形態においては、パッドされたゼロの値は平均輝度値に置換えられる。
【００１１】
【発明の実施の形態】
図３を参照すると、航空機などの車両に搭載されたクワッドサブピクセル・カラーディスプレイ１００を駆動するために使用される典型的なディスプレイプロセッサ３００のブロック図が示されている。シンボルジェネレータ３０１は一連のコマンドに応答してグラフィックシンボルを作成する。ビデオディジタイザー３０２は入力するビデオストリーム（図示されていない）を、クワッドサブピクセルディスプレイ用にサブピクセルあたり８ビットを有しピクセルあたり３２ビットのようなデジタルデータへ処理する。シンボルジェネレータ３０１とビデオディジタイザー３０２はデジタルデータを、レッドメモリプレーン３１１、グリーンメモリプレーン３１２、ブルーメモリプレーン３１３を備えるイメージメモリのような、イメージメモリにロードする。クワッドサブピクセルドライバ３２０はイメージメモリからデータを取出し、クワッドサブピクセル・デジタルデータストリーム３２１を生成する。クワッドサブピクセル・デジタルデータストリーム３２１の特性は、奇数および偶数ラインの繰り返しデータシーケンスを含んでいることである。図１に示すように、奇数ラインはレッド（Ｒ）サブピクセル１１１および第１のグリーン（Ｇ）サブピクセル１１２に対するデータを含むことが出来、偶数ラインは第２のグリーン（ｇ）サブピクセル１１４およびブルー（Ｂ）サブピクセル１１３に対するデータを含むことが出来る。
【００１２】
図４を参照すると、本発明に従うと航空機のディスプレイのプロセッサ３００からの出力クワッドサブピクセル・デジタルデータストリーム３２１が中間ピクセルメモリ４５０を含んだプロセッサ４００への入力として適用されている。
【００１３】
プロセッサ４００内で、入力ビデオイメージを表すクワッドサブピクセル・デジタルデータストリーム３２１に含まれる各ビデオラインに対し、サブピクセル輝度情報の組が取り出され、メモリ４５０に格納される。本発明の一つの実施形態においては、図５に示されるように、各ビデオラインは以下に述べるように奇数ラインと偶数ラインを含んでいる。
【００１４】
１）クワッドサブピクセル・デジタルデータストリーム３２１内の奇数ラインに含まれる、ラインＸ軸＝１におけるレッドサブピクセル（Ｒ１）の輝度データが、中間ピクセルメモリ４５０に含まれる第１の奇数ラインメモリ位置４１１にマップされる。
【００１５】
２）クワッドサブピクセル・デジタルデータストリーム３２１内の奇数ラインに含まれる、ラインＸ軸＝１における第１のグリーンサブピクセル（Ｇ１）の輝度データが中間ピクセルメモリ４５０に含まれる第２の奇数ラインメモリ位置４１２にマップされる。
【００１６】
３）輝度＝０を表すデジタル値は、中間ピクセルメモリ４５０に含まれる第３の奇数ラインメモリ位置４１３へロードされる。
４）上述のステップ１−３が、クワッドサブピクセル・デジタルビデオストリーム３２１内の奇数ライン内に含まれる、Ｘ軸＞１における残りのレッド（Ｒ）および第１のグリーン（Ｇ）サブピクセルに対し、Ｒ、Ｇ、０の順に残存サブピクセルデータを中間ピクセルメモリ４５０に含まれるシーケンシャルなメモリ位置へロードすることにより繰り返される。
【００１７】
５）輝度＝０を表すデジタル値が中間ピクセルメモリ４５０に含まれる第１の偶数ラインメモリ位置４２１へロードされる。
６）クワッドサブピクセル・デジタルデータストリーム３２１内の偶数ラインに含まれるラインＸ軸＝１における第２のグリーンサブピクセル（ｇ１）の輝度データが、中間ピクセルメモリ４５０に含まれる第２の偶数ラインメモリ位置４２２へマップされる。
【００１８】
７）クワッドサブピクセル・デジタルビデオストリーム３２１内の偶数ラインに含まれる、ラインＸ軸＝１におけるブルーサブピクセル（Ｂ１）の輝度データが中間ピクセルメモリ４５０に含まれる第３の偶数ラインメモリ位置４２３にマップされる。
【００１９】
８）上述のステップ５−７は、クワッドサブピクセル・デジタルデータストリーム３２１の偶数ラインに含まれる、Ｘ軸＞１における残存の第２のグリーン（ｇ）およびブルー（Ｂ）サブピクセルに対し、０、ｇ、Ｂの順に残存サブピクセルデータを中間ピクセルメモリ４５０に含まれるシーケンシャルなメモリ位置へロードすることにより繰り返される。
【００２０】
プロセッサ４００は、中間ピクセルメモリ４５０に含まれるサブピクセル輝度データを使用して出力中間デジタルデータストリーム４３０を生成する。中間デジタルデータストリーム４３０の特徴は、各奇数ラインが例えば５１２×５１２クワッドサブピクセル・ディスプレイ用にサブピクセルビットシーケンスＲ１、Ｇ１、０、Ｒ２、Ｇ２、０、．．．Ｒ５１２、Ｇ５１２、０の結果となり得るゼロ輝度パディングビットを含むことである。中間デジタルデータストリーム４３０のさらなる特徴は、各偶数ラインが例えば５１２×５１２クワッドサブピクセル・ディスプレイ用にサブピクセルビットシーケンス０、ｇ１、Ｂ１、０、ｇ２、Ｂ２、．．．０、ｇ５１２、Ｂ５１２の結果となり得るゼロ輝度パディングビットを含むことである。中間デジタルデータストリーム４３０の更なる特性は、データストリームにより表される全体のビデオイメージが水平方向に、例えばひずみのない入力に比べ１３３％広くすることによってひずむことである。
【００２１】
中間デジタルデータストリーム４３０はGenesis（登録商標）チップなどのディスプレイサイズ変更エンジン５００へ入力される。サイズ変更エンジンは、当該技術において知られている技術を使用してビデオイメージの水平の寸法と垂直の寸法をお互い独立してスケールすることにより中間デジタルデータストリーム４３０により表されるビデオイメージのアスペクト比を調整することが出来る。本発明の一実施形態においては、中間デジタルデータストリーム４３０により表されるひずんだビデオイメージは水平の寸法のみを、例えば６６．６％へスケールすることによりひずみをなくされる。ひずみのないビデオイメージは、サイズ変更エンジン５００からストリップサブピクセル・カラーディスプレイ２００へ送信される。
【００２２】
本発明の側面に従うと、ストリップサブピクセル・カラーディスプレイ２００は有利には、クワッドサブピクセル・デジタルデータ３２１によって表されるオリジナル・ビデオイメージに比べより高い解像度を有する。サイズ変更エンジン５００は、ストリップサブピクセル・カラーディスプレイ２００とオリジナル・ビデオイメージ間の垂直方向の解像度の比、例えば（７６８／５１２）に従って垂直方向の寸法をスケールする。サイズ変更エンジン５００は、ストリップサブピクセル・カラーディスプレイ２００とオリジナル・ビデオイメージ間の水平方向の解像度比および上述した本発明の側面により導入されるひずみ因子、例えば（７６８*１．３３／５１２）の両方に従って、水平方向の寸法をスケールする。
【００２３】
図６について言及すると、エキストラパディング値が平均輝度値であることを特徴とする本発明のさらなる実施の形態が記載されている。有利には、この実施形態において、プロセッサ４００はまず中間ピクセルメモリ４５０内でパッドされたエキストラデータゼロ値を含むひずんだ中間デジタルデータストリームを生成し、これらのゼロの値を平均輝度値を持つパッドされたデータ値に置換える。従って、上述の実施形態におけるのと同じように、サブピクセル輝度情報の組がクワッドサブピクセル・デジタルデータストリーム３２１（図４に示す）に含まれる各ビデオラインに対し抽出される。この実施形態においては、現在のビデオライン（Ｎ）に対するクワッドサブピクセル・デジタルデータストリーム３２１が現在のビデオ奇数ライン繰返しデータシーケンス６１０および現在のビデオ偶数ライン繰返しデータシーケンス６２０へさらに分られる。同様の方法で、前のビデオライン（Ｎ−１）に対するクワッドサブピクセル・デジタルデータストリームが、前のビデオ奇数ライン繰返しデータシーケンスおよび前のビデオ偶数ライン繰返しデータシーケンス６３０へさらに分けられる。加えて、後続のビデオライン（Ｎ＋１）に対するクワッドサブピクセル・デジタルデータストリームは、同様に後続のビデオ奇数ライン繰返しデータシーケンス６４０および後続のビデオ偶数ライン繰返しデータシーケンスへさらに分けられる。この実施の形態においては、中間ピクセルメモリ４５０に含まれるサブピクセル輝度情報の組が、中間デジタルデータストリーム４３０の生成前にさらに以下のように処理される。ビデオ入力イメージを表す中間ピクセルメモリ４５０内の第２のビデオラインで開始し、全ての後続ラインに対して繰り返す、以下にリストされるステップが上述の実施形態のステップＮｏ．８に続けられる。
【００２４】
９）ラインＸ軸＝１に対し、第３の偶数ラインメモリ位置４２３に含まれる現在のブルーサブピクセル（Ｂ１N）と第１の前の偶数ラインメモリ位置６３３に含まれ、前のビデオ偶数ライン繰返しデータシーケンス６３０から生じる前のブルーサブピクセル（Ｂ１(N―1)）との間の平均ブルービデオ輝度が、平均ブルービデオ輝度＝[（Ｂ１N+Ｂ１(N―1)）／２]により表される方程式により計算される。
【００２５】
１０）平均ブルービデオ輝度は、第３の奇数ラインメモリ位置４１３にロードされ、そこに含まれていたデジタル値に重ね書きされる。
１１）上述したステップ９−１０は、現在のビデオ奇数ライン繰返しデータシーケンス６１０に対応するラインＸ軸＞１における残存ブルー（Ｂ）サブピクセルの組を計算するために繰り返される。
【００２６】
１２）第１の奇数ラインメモリ位置４１１に含まれる現在のレッドサブピクセル（Ｒ１N）と、第１の後続奇数ラインメモリ位置６４１に含まれ、後続のビデオ奇数ラインデータストリーム６４０から生じる後続のレッドサブピクセル（Ｒ１(N+1)）との間の平均レッドビデオ輝度は、平均レッドビデオ輝度＝[（Ｒ１N+Ｒ１(N+1)）／２]により計算される。
【００２７】
１３）平均レッドビデオ輝度は、第１の偶数ラインメモリ位置４２１にロードされ、そこに含まれていたデジタル値に重ね書される。
１４）上述したステップ１２−１３は、現在のビデオ偶数ラインデータストリーム６２０に対応するラインＸ軸＞１での残存レッド（Ｒ）サブピクセルの組を計算するために繰り返される。
【００２８】
上述した実施形態の場合、プロセッサ４００は中間ピクセルメモリ４５０に含まれるサブピクセル輝度データを使用して中間デジタルデータストリーム４３０を生成する。この代替実施形態においては、有利には前のビデオライン、現在のビデオライン、後続のビデオラインを含む、３個のビデオラインのみが中間ピクセルメモリ４５０内にバッファーされることが要求される。
【００２９】
図面および添付の記述は本発明の好適な実施の形態を示し記述しているが、当業者には本発明の範囲に影響を及ぼすことなく本発明の形態に様々な変形がなされ得ることが明らかであろう。従って本発明の他の実施形態において、パッドされたエキストラデータ値に対し様々な他の値が利用可能である。
【図面の簡単な説明】
【図１】従来技術に従ったクワッドサブピクセルディスプレイを描いている。
【図２】従来技術に従ったストリップサブピクセル・カラーディスプレイを描いている。
【図３】従来技術に従ったクワッドサブピクセルカラーディスプレイを駆動するために設計された既存の航空機ディスプレイのプロセッサを描いている。
【図４】ストリップサブピクセル・カラーディスプレイを駆動するために、図３により特徴付けられる既存の航空機ディスプレイを利用した本発明の一つの例示的な実施の形態の概略図である。
【図５】本発明の第１の例示的な実施の形態に従った中間ピクセルメモリの内容を描いている。
【図６】本発明の第２の例示的な実施の形態に従った中間ピクセルメモリの内容を描いている。
【図１】
0004270795.tif 000002
【図２】
0004270795.tif 000003
【図３】
0004270795.tif 000004
【図４】
0004270795.tif 000005
【図５】
0004270795.tif 000006
【図６】
0004270795.tif 000007